(57)【要約】【課題】本発明に係る加湿装置は、高い利用効率を有する加湿ロータを備える。【解決手段】加湿ユニット６０は、吸着材からなる加湿ロータ６３を備える。吸着材は、空気中の水分を吸着し、かつ、加熱されることにより吸着した水分を空気中に放出する。加湿ロータ６３は、回転軸６３ｄを中心に回転可能である。加湿ロータ６３は、回転軸６３ｄに沿って視た場合に、複数の吸着材領域６９ａ，６９ｂに区画されている。互いに隣接している複数の吸着材領域６９ａ，６９ｂの吸着材の仕様は、互いに異なっている。これにより、加湿ロータ６３を通過する空気の特性、および、加湿ロータ６３の温度分布に合わせて、加湿ロータ６３の各吸着材領域６９ａ，６９ｂに適切な吸着材を設けることで、加湿ロータ６３の吸着容量を向上させることができる。【選択図】図７
2018087679.tif 000002
【特許請求の範囲】
【請求項１】
空気中の水分を吸着し、かつ、加熱されることにより吸着した水分を空気中に放出する吸着材からなる加湿ロータ（６３）を備え、
前記加湿ロータは、回転軸（６３ｄ）を中心に回転可能であり、かつ、前記回転軸に沿って視た場合に、複数の吸着材領域（６９ａ，６９ｂ，１６９ａ，１６９ｂ）に区画され、
互いに隣接している複数の前記吸着材領域の前記吸着材の仕様は、互いに異なっている、
加湿装置（６０）。
【請求項２】
前記加湿ロータは、前記回転軸に沿って視た場合に、前記回転軸からの距離に応じて、複数の前記吸着材領域に区画されている、
請求項１に記載の加湿装置。
【請求項３】
前記加湿ロータは、前記回転軸に沿って視た場合に、前記回転軸を中心とする円形状を有し、
互いに隣接している複数の前記吸着材領域の間の境界は、前記回転軸に沿って視た場合に、前記回転軸を中心とする円形状を有している、
請求項２に記載の加湿装置。
【請求項４】
前記加湿ロータは、
前記径方向の最も外側にある前記吸着材領域である第１吸着材領域（６９ａ）と、
前記第１吸着材領域よりも前記径方向においてより内側にある前記吸着材領域である第２吸着材領域（６９ｂ）と、
を有し、
前記第１吸着材領域の前記吸着材の水分の吸着容量は、前記第２吸着材領域の前記吸着材の水分の吸着容量よりも大きい、
請求項３に記載の加湿装置。
【請求項５】
前記加湿ロータは、
前記径方向の中心を含む前記吸着材領域である第１吸着材領域（１６９ｂ）と、
前記第１吸着材領域よりも前記径方向において、より内側、および、より外側にある前記吸着材領域である第２吸着材領域（１６９ａ，１６９ｃ）と、
を有し、
前記第１吸着材領域の前記吸着材が吸着した水分を放出できる温度は、前記第２吸着材領域の前記吸着材が吸着した水分を放出できる温度よりも高い、
請求項３に記載の加湿装置。
【請求項６】
前記加湿ロータは、前記回転軸に沿って視た場合に、前記加湿ロータを通過する空気の流量の分布に応じて、複数の前記吸着材領域に区画されている、
請求項１から３のいずれか１項に記載の加湿装置。
【請求項７】
前記加湿ロータは、前記回転軸に沿って視た場合に、前記加湿ロータを通過する空気の温度の分布に応じて、複数の前記吸着材領域に区画されている、
請求項１から３のいずれか１項に記載の加湿装置。
【発明の詳細な説明】
【技術分野】
【０００１】
本発明は、空気中の水分を吸着する吸湿と、空気中に水分を放出する放湿とを繰り返し行うことができる加湿ロータを備える加湿装置に関する。
【背景技術】
【０００２】
従来、加湿機能付きの空気清浄機等に用いられる加湿装置として、水の吸着と放出とを繰り返すことができる加湿ロータを備える加湿装置が知られている。例えば、特許文献１（特開２００１−９１００２号公報）に開示されている加湿装置は、空気中の水分を吸着する吸湿領域と、吸着された水分を空気中に放出する放湿領域とを有する加湿ロータを備える。この加湿装置では、加湿ロータの放湿領域がヒータによって加熱されて、放湿領域に吸着されている水分が空気中に放出される。放湿領域から放出された水分を含む空気は、ファンによって加湿対象空間に送られる。
【発明の概要】
【発明が解決しようとする課題】
【０００３】
加湿ロータは、空気中の水分を吸着し、かつ、加熱されることにより吸着した水分を空気中に放出する吸着材からなる。従来の加湿ロータの吸着材は一様である。すなわち、加湿ロータは、一種類の吸着材から構成されている。しかし、加湿ロータを通過する空気の流量、および、加湿ロータの温度は一様ではない。例えば、円盤形状の加湿ロータの径方向外側の領域は、径方向内側の領域よりも、通過する空気の流量が高い傾向がある。そのため、加湿ロータの吸着材が一様である場合、吸着材の吸着容量が十分ではないこと等により、加湿ロータの利用効率が低くなるおそれがある。
【０００４】
本発明の目的は、高い利用効率を有する加湿ロータを備える加湿装置を提供することである。
【課題を解決するための手段】
【０００５】
本発明の第１観点に係る加湿装置は、吸着材からなる加湿ロータを備える。吸着材は、空気中の水分を吸着し、かつ、加熱されることにより吸着した水分を空気中に放出する。加湿ロータは、回転軸を中心に回転可能であり、かつ、回転軸に沿って視た場合に、複数の吸着材領域に区画されている。互いに隣接している複数の吸着材領域の吸着材の仕様は、互いに異なっている。
【０００６】
第１観点に係る加湿装置では、加湿ロータは、複数種類の吸着材から構成されている。これにより、加湿ロータを通過する空気の特性、および、加湿ロータの温度分布に合わせて、加湿ロータの各吸着材領域に適切な吸着材を設けることで、加湿ロータの吸着容量を向上させることができる。従って、第１観点に係る加湿装置は、高い利用効率を有する加湿ロータを備える。
【０００７】
本発明の第２観点に係る加湿装置は、第１観点に係る加湿装置であって、加湿ロータは、回転軸に沿って視た場合に、回転軸からの距離に応じて、複数の吸着材領域に区画されている。
【０００８】
第２観点に係る加湿装置では、加湿ロータの各吸着材領域には、加湿ロータの回転軸からの距離に基づいて選択された吸着材が設けられている。加湿ロータを通過する空気の特性、および、加湿ロータの温度分布は、加湿ロータの回転軸からの距離に応じて変化する傾向がある。従って、第２観点に係る加湿装置は、高い利用効率を有する加湿ロータを備える。
【０００９】
本発明の第３観点に係る加湿装置は、第２観点に係る加湿装置であって、加湿ロータは、回転軸に沿って視た場合に、回転軸を中心とする円形状を有している。互いに隣接している複数の吸着材領域の間の境界は、回転軸に沿って視た場合に、回転軸を中心とする円形状を有している。
【００１０】
第３観点に係る加湿装置では、加湿ロータは円盤形状を有し、隣接する２つの吸着材領域の間の境界は、加湿ロータの回転軸を中心とする円である。加湿ロータを通過する空気の特性、および、加湿ロータの温度分布は、加湿ロータの径方向に沿って変化する傾向がある。従って、第３観点に係る加湿装置は、高い利用効率を有する円盤形状の加湿ロータを備える。
【００１１】
本発明の第４観点に係る加湿装置は、第３観点に係る加湿装置であって、加湿ロータは、第１吸着材領域と、第２吸着材領域とを有する。第１吸着材領域は、加湿ロータの径方向の最も外側にある吸着材領域である。第２吸着材領域は、第１吸着材領域よりも径方向においてより内側にある吸着材領域である。第１吸着材領域の吸着材の水分の吸着容量は、第２吸着材領域の吸着材の水分の吸着容量よりも大きい。
【００１２】
第４観点に係る加湿装置では、円盤形状の加湿ロータの径方向外側に行くほど加湿ロータを通過する空気の流量が大きい場合において、加湿ロータの径方向内側（中心側）よりも加湿ロータの径方向外側（外周側）に、吸着容量がより大きい吸着材が設けられている。従って、第４観点に係る加湿装置は、円盤形状の加湿ロータの径方向外側に行くほど加湿ロータを通過する空気の流量が大きい場合において、高い利用効率を有する加湿ロータを備える。
【００１３】
本発明の第５観点に係る加湿装置は、第３観点に係る加湿装置であって、加湿ロータは、第１吸着材領域と、第２吸着材領域とを有する。第１吸着材領域は、加湿ロータの径方向の中心を含む吸着材領域である。第２吸着材領域は、第１吸着材領域よりも径方向において、より内側、および、より外側にある吸着材領域である。第１吸着材領域の吸着材が吸着した水分を放出できる温度は、第２吸着材領域の吸着材が吸着した水分を放出できる温度よりも高い。
【００１４】
第５観点に係る加湿装置では、円盤形状の加湿ロータの径方向中心部に加湿用ヒータの熱が当たりやすい場合において、加湿ロータの径方向外側（外周側）および径方向内側（中心側）よりも加湿ロータの径方向中心部に、より高い温度で水分を放出することができる吸着材が設けられている。従って、第５観点に係る加湿装置は、円盤形状の加湿ロータの径方向中心部に加湿用ヒータの熱が当たりやすい場合において、高い利用効率を有する加湿ロータを備える。
【００１５】
本発明の第６観点に係る加湿装置は、第１観点から第３観点のいずれか１つに係る加湿装置であって、加湿ロータは、回転軸に沿って視た場合に、加湿ロータを通過する空気の流量の分布に応じて、複数の吸着材領域に区画されている。
【００１６】
第６観点に係る加湿装置では、加湿ロータの各吸着材領域には、その領域を通過する空気の流量に適した吸着材が設けられている。従って、第６観点に係る加湿装置は、加湿ロータを通過する空気の流量の分布に応じて、高い利用効率を有する加湿ロータを備えることができる。
【００１７】
本発明の第７観点に係る加湿装置は、第１観点から第３観点のいずれか１つに係る加湿装置であって、加湿ロータは、回転軸に沿って視た場合に、加湿ロータを通過する空気の温度の分布に応じて、複数の吸着材領域に区画されている。
【００１８】
第７観点に係る加湿装置では、加湿ロータの各吸着材領域には、その領域を通過する空気の温度に適した吸着材が設けられている。従って、第７観点に係る加湿装置は、加湿ロータを通過する空気の温度の分布に応じて、高い利用効率を有する加湿ロータを備えることができる。
【発明の効果】
【００１９】
本発明の第１観点に係る加湿装置は、高い利用効率を有する加湿ロータを備える。
【００２０】
本発明の第２観点に係る加湿装置は、高い利用効率を有する加湿ロータを備える。
【００２１】
本発明の第３観点に係る加湿装置は、高い利用効率を有する円盤形状の加湿ロータを備える。
【００２２】
本発明の第４観点に係る加湿装置は、円盤形状の加湿ロータの径方向外側に行くほど加湿ロータを通過する空気の流量が大きい場合において、高い利用効率を有する加湿ロータを備える。
【００２３】
本発明の第５観点に係る加湿装置は、円盤形状の加湿ロータの径方向中心部に加湿用ヒータの熱が当たりやすい場合において、高い利用効率を有する加湿ロータを備える。
【００２４】
本発明の第６観点に係る加湿装置は、加湿ロータを通過する空気の流量の分布に応じて、高い利用効率を有する加湿ロータを備えることができる。
【００２５】
本発明の第７観点に係る加湿装置は、加湿ロータを通過する空気の温度の分布に応じて、高い利用効率を有する加湿ロータを備えることができる。
【図面の簡単な説明】
【００２６】
【図１】本発明に係る加湿装置の一実施形態である加湿ユニット６０を備える空調機１０の構成図である。
【図２】ケーシング４０の天板４８が取り外された状態の室外ユニット３０の平面図である。
【図３】図２の室外ユニット３０から防護用グリル５６が取り外された状態の室外ユニット３０の正面図である。
【図４】加湿ロータ６３を通過する空気の流れを示す図である。
【図５】吸着用ダクト６８、加湿用ダクト７３、加湿用ファン７５、及び第２加湿用ダクト１８０の斜視図である。
【図６】ロータ枠壁６５の正面図である。
【図７】回転軸６３ｄに沿って視た加湿ロータ６３の模式図である。
【図８】変形例Ａにおける、回転軸６３ｄに沿って視た加湿ロータ６３の模式図である。
【図９】変形例Ｂにおける、回転軸６３ｄに沿って視た加湿ロータ６３の模式図である。
【発明を実施するための形態】
【００２７】
本発明の実施形態について、図面を参照しながら説明する。以下に説明される実施形態は、本発明の具体例であって、本発明の技術的範囲を限定するものではない。
【００２８】
（１）空調機１０の構成
図１は、本発明に係る加湿装置の一実施形態である加湿ユニット６０を備える空調機１０の構成図である。空調機１０は、冷媒回路を循環する冷媒を用いる冷凍サイクルを備える冷凍装置である。空調機１０は、主として、室内ユニット２０と、室外ユニット３０とを備える。室内ユニット２０及び室外ユニット３０は、冷媒連絡配管１４，１６及び給気ホース１８によって互いに接続されている。図１では、室内ユニット２０及び室外ユニット３０を通過する空気の流れが、白抜きの矢印で示されている。
【００２９】
空調機１０は、冷房運転、暖房運転、除湿運転、加湿運転、及び給気運転等の複数の運転モードを有する。加湿運転、及び給気運転では、室内に空気を供給するために、給気ホース１８を通して室外ユニット３０から室内ユニット２０へ空気が送られる。特に、加湿運転では、水分を多く含んだ湿度の高い空気を室外ユニット３０から室内ユニット２０に送るため、室外ユニット３０において外気から水分が取り込まれる。室外ユニット３０は、外気から水分を取り込む機能を有する加湿ユニット６０を備える。図１では、加湿ユニット６０を通過する空気の流れが、点線の矢印で示されている。
【００３０】
（２）室内ユニット２０の構成
室内ユニット２０は、主として、室内熱交換器２１と、室内ファン２２とを備える。図１に示されるように、室内ファン２２は、室内熱交換器２１の下流側に配置され、室内ファンモータ２２ａによって駆動される。室内ファン２２が駆動されると、室内ユニット２０上部の室内吸込口２３から吸い込まれた室内空気は、室内熱交換器２１を通過して、室内ユニット２０下部の室内吹出口２４から吹き出される。室内ファン２２は、例えば、クロスフローファンである。
【００３１】
室内ユニット２０では、室内給気口２５が、室内熱交換器２１の上流側空間に設けられている。給気ホース１８の一端は、室内給気口２５に接続され、給気ホース１８の他端は、室外ユニット３０の加湿ユニット６０に接続される。加湿ユニット６０から送られてきた湿度の高い空気は、室内給気口２５を介して、室内熱交換器２１の上流側空間に供給される。室内熱交換器２１の上流側空間に湿度の高い空気が供給されている状態で室内ファン２２が駆動されることにより、室内ユニット２０の室内吹出口２４から吹き出される調和空気の湿度を高くすることができる。
【００３２】
（３）室外ユニット３０の構成
室外ユニット３０は、主として、ケーシング４０、圧縮機３１、室外熱交換器３３、室外ファン３９、及び加湿ユニット６０を備える。室外ユニット３０内部の冷媒回路には、四路切換弁３２、電動膨張弁３４、アキュムレータ３６、液側閉鎖弁３７、及びガス側閉鎖弁３８が取り付けられている。
【００３３】
図２は、ケーシング４０の天板４８が取り外された状態の室外ユニット３０の平面図である。図３は、図２の室外ユニット３０から防護用グリル５６が取り外された状態の室外ユニット３０の正面図である。図２では、室外ユニット３０を通過する空気の流れが、点線の矢印で示されている。
【００３４】
（３−１）ケーシング４０
ケーシング４０は、主として、左側板４５、前板４６、右側板４７、天板４８（図３参照）、底板４９（図３参照）、及び背面部４４から構成される。ケーシング４０の内部空間は、仕切部材４３によって送風機室４１と機械室４２とに区画されている。送風機室４１は、室外熱交換器３３、室外ファン３９、及び加湿ユニット６０の一部が配置される空間である。機械室４２は、圧縮機３１、及び加湿ユニット６０の一部が配置される空間である。
【００３５】
仕切部材４３は、天板４８側から底板４９側に向かって、右側板４７と略並行に延びている板状部材である。仕切部材４３は、前板４６の内側から、室外熱交換器３３の右側板４７側の端部に向かって、円弧状に延びている。その結果、仕切部材４３は、送風機室４１から機械室４２に向かって空気の流れが回り込まないように、空気の流れを遮蔽する機能を有する。
【００３６】
図３に示されるように、送風機室４１には、電装品ユニット５０が設置されている。電装品ユニット５０は、圧縮機３１及び室外ファン３９等を駆動するための電子部品が集約された制御基板を搭載している。
【００３７】
図３に示されるように、前板４６には、円形の室外吹出口４６ａが形成されている。室外吹出口４６ａには、その周縁に沿うようにリング状のベルマウス５２が取り付けられている。図２に示されるように、ケーシング４０の前板４６には、防護用グリル５６が取り付けられている。防護用グリル５６は、室外吹出口４６ａを覆っている。防護用グリル５６には、ケーシング４０の内部空間から外部空間に空気を吹き出すための複数の開口が形成されている。
【００３８】
（３−２）圧縮機３１
図１に示されるように、圧縮機３１は、機械室４２に配置されている。圧縮機３１は、底板４９に固定されている。圧縮機３１は、運転時に高温になるので、機械室４２は送風機室４１と比べて温度が高くなる。
【００３９】
（３−３）室外熱交換器３３
図２に示されるように、室外熱交換器３３は、ケーシング４０の背面部４４及び左側板４５と対向するように、Ｌ字状に成形されている。室外熱交換器３３の鉛直方向の寸法は、天板４８と底板４９との間の距離にほぼ等しい。
【００４０】
（３−４）室外ファン３９
室外ファン３９は、室外熱交換器３３の下流側に配置されている。室外ファン３９は、室外ファンモータ３９ａと、プロペラ３９ｂとを有する。プロペラ３９ｂは、室外ファンモータ３９ａによって駆動される。プロペラ３９ｂの一部は、ベルマウス５２で囲まれた空間内に配置されている。
【００４１】
室外ファンモータ３９ａによってプロペラ３９ｂが駆動されると、室外熱交換器３３の背面部４４側から外気が吸い込まれる。吸い込まれた外気は、室外熱交換器３３を通過し、室外吹出口４６ａ（図３参照）から吹き出される。室外吹出口４６ａの前面は防護用グリル５６（図２参照）で覆われているので、室外ユニット３０の外側からはプロペラ３９ｂに触れられないようになっている。
【００４２】
（３−５）加湿ユニット６０
図２に示されるように、加湿ユニット６０は、前板４６と背面部４４との間において、送風機室４１と機械室４２とに跨るように配置されている。具体的には、加湿ユニット６０の一部は、送風機室４１に配置され、その他の部分は、機械室４２に配置されている。加湿ユニット６０は、送風機室４１及び機械室４２の上部に配置され、仕切部材４３の一部分としての機能を有する。
【００４３】
加湿ユニット６０は、主として、加湿ロータ６３、加湿用ヒータ７１、吸着用ダクト６８、加湿用ダクト７３、加湿用ファン７５（図１参照）、及び第２加湿用ダクト１８０を有している。
【００４４】
（３−５−１）加湿ロータ６３
加湿ロータ６３は、円盤形状の部材である。加湿ロータ６３は、回転軸の周りを回転しながら、空気中に含まれる水分の吸着および放出を行う。加湿ロータ６３の回転軸は、加湿ロータ６３の円形の主表面の中心を通り、かつ、水平方向に沿って延びている。すなわち、加湿ロータ６３は、その主表面が鉛直方向に沿うように配置されている。
【００４５】
加湿ロータ６３は、前板４６と対向するように配置されている。図３に示されるように、加湿ロータ６３の一部は、前板４６に形成される開口である室外吸込口４６ｂと対向する。室外吸込口４６ｂは、中心角が約２４０°の扇形を有する。室外吸込口４６ｂの扇形の中心は、加湿ロータ６３の回転軸上に位置している。加湿ロータ６３は、ロータ枠壁６５によって囲まれている。ロータ枠壁６５については、後述する。
【００４６】
図４は、加湿ロータ６３を通過する空気の流れを示す図である。図４では、加湿ロータ６３を通過する空気の流れが、白抜きの矢印で示され、かつ、加湿ロータ６３の回転方向が、点線の矢印で示されている。図４に示されるように、加湿ロータ６３は、水分吸着領域６３ａと水分放出領域６３ｂとを有する。水分吸着領域６３ａは、加湿ロータ６３の主表面の一部であって、室外吸込口４６ｂと対向する領域である。水分放出領域６３ｂは、加湿ロータ６３の主表面の一部であって、室外吸込口４６ｂと対向しない領域である。水分吸着領域６３ａは、室外吸込口４６ｂと同様に、中心角が約２４０°の扇形を有する。水分放出領域６３ｂは、水分吸着領域６３ａに隣接し、中心角が約１２０°の扇形を有する。水分吸着領域６３ａは、空気中に含まれる水分が吸着される領域である。水分放出領域６３ｂは、吸着された水分が空気中に放出される領域である。水分吸着領域６３ａは、水分放出領域６３ｂよりもベルマウス５２側に配置されている。
【００４７】
加湿ロータ６３が回転軸周りに回転することで、水分吸着領域６３ａが水分放出領域６３ｂとなり、水分放出領域６３ｂが水分吸着領域６３ａとなる。これにより、加湿ロータ６３は、その回転軸周りに回転することで、空気中に含まれる水分の吸着および放出を繰り返し行うことができる。
【００４８】
水分吸着領域６３ａ及び水分放出領域６３ｂは、ゼオライト等の焼成によって形成されるハニカム構造を有する。ゼオライト等の吸着材は、常温で空気中の水分を吸着し、かつ、高温の空気に曝されて加熱されることで吸着した水分を放出する。
【００４９】
図４に示されるように、加湿ロータ６３の外周面には、周方向に沿って複数の歯６３ｔが形成されている。これにより、加湿ロータ６３は、複数の歯６３ｔを有する歯車として機能する。図３に示されるように、加湿ロータ６３の歯６３ｔは、ピニオンギア６４ａと噛み合っている。ピニオンギア６４ａは、ロータ駆動用モータ６４の動力によって回転する。ピニオンギア６４ａの回転運動によって、加湿ロータ６３は、その回転軸周りに回転することができる。
【００５０】
（３−５−２）加湿用ヒータ７１
加湿用ヒータ７１は、加湿ロータ６３の水分放出領域６３ｂと前板４６との間において、水分放出領域６３ｂと対向するように配置されている。図４に示されるように、加湿用ヒータ７１は、加湿ロータ６３の水分放出領域６３ｂから水分を放出させるために、水分放出領域６３ｂに送られる空気を加熱する。加湿用ヒータ７１によって加熱された空気は、水分放出領域６３ｂを通過するときに加湿ロータ６３から水分を放出させて、湿度が高い空気となる。
【００５１】
図４に示されるように、加湿用ヒータ７１で加熱される空気は、加湿ロータ６３の水分放出領域６３ｂを通過した空気である。この空気は、ケーシング４０に形成された加湿用開口４０ａ（図１参照）から取り込まれた外気である。
【００５２】
図４に示されるように、水分放出領域６３ｂにおいて、加湿用開口４０ａから取り込まれた外気が通過する領域は、加湿用ヒータ７１で加熱された空気が通過する領域よりも、加湿ロータ６３の回転方向下流側に位置している。加湿用開口４０ａから取り込まれた外気が加湿用ヒータ７１で加熱される前に水分放出領域６３ｂを通過することで、加湿ロータ６３の熱が回収される。
【００５３】
（３−５−３）吸着用ダクト６８
図５は、吸着用ダクト６８、加湿用ダクト７３、加湿用ファン７５、及び第２加湿用ダクト１８０の斜視図である。
【００５４】
吸着用ダクト６８は、加湿ロータ６３の水分吸着領域６３ａに、水分を含む空気である外気を導くための部材である。吸着用ダクト６８は、前板４６の室外吸込口４６ｂに向かって開口する空気流入口６８１を有する。空気流入口６８１の形状は、室外吸込口４６ｂと同様に、中心角が約２４０°の扇形である。空気流入口６８１は、室外吸込口４６ｂに接続されている。
【００５５】
図４に示されるように、室外吸込口４６ｂから吸い込まれた外気は、吸着用ダクト６８内を流れて、加湿ロータ６３の水分吸着領域６３ａに到達し、水分吸着領域６３ａを通過する。このとき、外気中に含まれる水分は、水分吸着領域６３ａに吸着される。水分吸着領域６３ａを通過した空気は、吸着用ダクト６８の空気流出口６８３（図２参照）から排出される。空気流出口６８３は、室外ファン３９が回転するときに負圧になる空間（ベルマウス５２の上流側の空間）に接している。そのため、室外ファン３９の回転によって、空気流出口６８３側の気圧は空気流入口６８１側の気圧より低くなるので、空気流入口６８１から外気が吸い込まれる。すなわち、室外ファン３９は、加湿ロータ６３の水分吸着領域６３ａが配置される通路に外気を導くための吸湿用ファンである。
【００５６】
図３に示されるように、室外吸込口４６ｂは、室外吹出口４６ａと同様に、前板４６に開口している。図４に示されるように、室外ファン３９によって室外熱交換器３３を通過した空気は、押し出されて、室外吹出口４６ａから勢いよくケーシング４０の外部に吹き出される。そのため、室外吹出口４６ａから吹き出された空気が、室外吸込口４６ｂに吸い込まれることはない。これにより、暖房運転時に室外熱交換器３３を通過して室外吹出口４６ａから吹き出された低温の空気が、室外吸込口４６ｂを経由して空気流入口６８１に吸い込まれることが回避される。室外吹出口４６ａから吹き出された低温の空気が空気流入口６８１に吸い込まれ続けて、加湿ロータ６３の温度が極端に低下すると、加湿ロータ６３が吸着できる水分量が低下する。そのため、室外吹出口４６ａから吹き出された空気が室外吸込口４６ｂに吸い込まれることを回避することで、加湿ロータ６３が吸着できる水分量の低下が抑制される。
【００５７】
（３−５−４）加湿用ダクト７３
加湿用ダクト７３は、加湿用ヒータ７１によって加熱され水分放出領域６３ｂを通過した空気を加湿用ファン７５まで導く。加湿用ダクト７３に導かれる空気の流れは、加湿用ファン７５によって発生する。
【００５８】
加湿用ダクト７３に導かれる空気は、加湿用ヒータ７１によって加熱されて高温の空気となり、さらに、水分放出領域６３ｂを通過する際に水分放出領域６３ｂから水分を放出させる。図４に示されるように、水分放出領域６３ｂを通過して高温高湿となった空気は、加湿用ダクト７３内を流れて、加湿用ファン７５まで導かれる。
【００５９】
（３−５−５）加湿用ファン７５
加湿用ファン７５は、機械室４２に配置されている。加湿用ファン７５は、図１に示されるように、加湿用ファンロータ７５ａと、加湿用ファンモータ７５ｂとを有する。加湿用ファンロータ７５ａは、回転軸周りに回転することで、加湿ロータ６３の水分放出領域６３ｂを通過して加湿された空気を所定の方向へ送り出す。加湿用ファンモータ７５ｂは、加湿用ファンロータ７５ａを駆動する。加湿用ファン７５は、加湿用ファンロータ７５ａの回転軸が水平方向に沿うように配置される。加湿用ファンロータ７５ａの回転軸は、加湿用ファンモータ７５ｂの回転軸に接続されている。加湿用ファンロータ７５ａは、例えば、樹脂で成形されている。
【００６０】
加湿用ファンロータ７５ａは、ファンケーシング８１に囲まれている。ファンケーシング８１の出口は、第２加湿用ダクト１８０の入口と繋がっている。加湿用ファンモータ７５ｂは、モータカバー８２によって覆われている。図４及び図５に示されるように、ファンケーシング８１は、加湿用ファン７５によって吸い込まれる空気が通過する吸い込み口８１ａを有する。吸い込み口８１ａは、ファンケーシング８１の入口に相当し、加湿用ダクト７３の出口に接続されている。加湿用ファン７５の吸い込み口８１ａは、加湿用ファンロータ７５ａの回転軸に沿って視た場合に、加湿用ファンロータ７５ａの中央に位置するように設けられている。加湿用ダクト７３を流れて吸い込み口８１ａに吸い込まれた空気は、回転する加湿用ファンロータ７５ａによって第２加湿用ダクト１８０に送られる。
【００６１】
（３−５−６）第２加湿用ダクト１８０
第２加湿用ダクト１８０は、加湿用ファン７５によって送られてきた高温高湿の空気を、給気ホース１８（図１参照）の接続口まで導くダクトである。第２加湿用ダクト１８０のほぼ全体は、機械室４２に配置されている。しかし、第２加湿用ダクト１８０の一部であって、給気ホース１８の接続口に接続される部分は、右側板４７を挟んで機械室４２の反対側に位置している（図２参照）。
【００６２】
図５に示されるように、第２加湿用ダクト１８０は、水平ダクト部１８１と、鉛直ダクト部１８２とを有している。水平ダクト部１８１は、高温高湿の空気を水平方向に導く。鉛直ダクト部１８２は、水平ダクト部１８１に接続され、水平ダクト部１８１を通過した高温高湿の空気を下方に導く。水平ダクト部１８１は、機械室４２内部から右側板４７に向かって延びている。鉛直ダクト部１８２は、水平ダクト部１８１との接続部から下方に向かって延びている。鉛直ダクト部１８２の終端は、給気ホース１８の接続口と接続されている。
【００６３】
（４）加湿ロータ６３及びロータ枠壁６５の詳細な構成
ロータ枠壁６５は、加湿ロータ６３を所定の位置において回転可能に支持するための部材である。図６は、ロータ枠壁６５の正面図である。図６では、ロータ枠壁６５に支持されている加湿ロータ６３の円盤形状の輪郭が点線で示されている。図６では、加湿ロータ６３の回転方向が、点線の矢印で示されている。図６は、加湿ロータ６３の回転軸６３ｄに沿って視た図である。
【００６４】
ロータ枠壁６５は、加湿ロータ６３の周囲を囲む環状部６５ａを有する。図６に示されるように、環状部６５ａの内周面である囲み面６５ｂは、加湿ロータ６３の径方向外側において、加湿ロータ６３の外周面と対向する面である。加湿ロータ６３の径方向とは、加湿ロータ６３の円形の主表面の径方向である。
【００６５】
図６に示されるように、ロータ枠壁６５には、樹脂製の軸受部材６５ｃが取り付けられている。軸受部材６５ｃは、シャフト６６を有する。シャフト６６は、加湿ロータ６３を回転自在に支持するためのテーパ形状の突起である。加湿ロータ６３の回転軸６３ｄに沿って視た場合に、軸受部材６５ｃは、ロータ枠壁６５の環状部６５ａの中央部に位置している。
【００６６】
図４及び図６に示されるように、加湿ロータ６３は、シャフト６６を通すためのシャフト貫通孔６７を有する。シャフト貫通孔６７は、加湿ロータ６３の主表面の中央部に形成されている。シャフト貫通孔６７は、シャフト６６と同様に、テーパ形状を有する。加湿ロータ６３のシャフト貫通孔６７に、ロータ枠壁６５に取り付けられている軸受部材６５ｃのシャフト６６を通すことによって、加湿ロータ６３がロータ枠壁６５に取り付けられる。
【００６７】
ロータ駆動用モータ６４の動力によって加湿ロータ６３が回転軸６３ｄ周りに回転している間、加湿ロータ６３のシャフト貫通孔６７の内周面は、シャフト６６の外周面と摺動する。すなわち、シャフト貫通孔６７の内周面は、すべり軸受のすべり面に相当する。
【００６８】
（５）空調機１０の動作
冷房運転モード、暖房運転モード、及び加湿運転モードのそれぞれにおける、空調機１０の動作について説明する。
【００６９】
（５−１）冷房運転
冷房運転時において、四路切換弁３２は、圧縮機３１の吐出側と室外熱交換器３３のガス側とを接続し、かつ、圧縮機３１の吸入側と室内熱交換器２１のガス側とを接続する。図１において、冷房運転時における四路切換弁３２の状態は、実線で示されている。
【００７０】
液側閉鎖弁３７及びガス側閉鎖弁３８は、開状態である。電動膨張弁３４の開度は、室内熱交換器２１の冷媒出口における冷媒の過熱度が所定の目標値で一定になるように調節される。
【００７１】
このような状態の冷媒回路において、圧縮機３１、室外ファン３９及び室内ファン２２の運転を開始すると、低圧のガス冷媒は、圧縮機３１に吸入されて圧縮されて高圧のガス冷媒となる。高圧のガス冷媒は、四路切換弁３２を経由して室外熱交換器３３に送られて、室外ファン３９によって供給される室外空気との熱交換により凝縮して高圧の液冷媒となる。高圧の液冷媒は、電動膨張弁３４で減圧されて気液二相状態の冷媒となった後、液側閉鎖弁３７及び液冷媒連絡配管１４を経由して、室内ユニット２０に送られる。
【００７２】
室内ユニット２０に送られた気液二相状態の冷媒は、室内熱交換器１５に入り、室内熱交換器１５において室内空気との熱交換により液冷媒が蒸発して低圧のガス冷媒となる。低圧のガス冷媒は、ガス冷媒連絡配管１６及びガス側閉鎖弁３８を経由して室外ユニット３０に送られ、四路切換弁３２を経由して、アキュムレータ３６に流入する。アキュムレータ３６に流入した低圧のガス冷媒は、再び、圧縮機３１に吸入される。
【００７３】
このように、空調機１０は、室外熱交換器３３を冷媒の凝縮器として機能させ、かつ、室内熱交換器２１を冷媒の蒸発器として機能させる冷房運転を行う。
【００７４】
（５−２）暖房運転
暖房運転時において、四路切換弁３２は、圧縮機３１の吐出側と室内熱交換器２１のガス側とを接続し、かつ、圧縮機３１の吸入側と室外熱交換器３３のガス側とを接続する。図１において、暖房運転時における四路切換弁３２の状態は、点線で示されている。
【００７５】
液側閉鎖弁３７及びガス側閉鎖弁３８は、開状態である。電動膨張弁３４の開度は、室外熱交換器３３に流入する冷媒の圧力が、室外熱交換器３３において液冷媒が完全に蒸発できる圧力まで低下するように調節される。
【００７６】
このような状態の冷媒回路において、圧縮機３１、室外ファン３９及び室内ファン２２の運転を開始すると、低圧のガス冷媒は、圧縮機３１に吸入されて圧縮されて高圧のガス冷媒となる。高圧のガス冷媒は、四路切換弁３２、ガス側閉鎖弁３８及びガス冷媒連絡配管１６を経由して、室内ユニット２０に送られる。
【００７７】
室内ユニット２０に送られた高圧のガス冷媒は、室内熱交換器２１において、室内空気との熱交換により凝縮して高圧の液冷媒となる。高圧の液冷媒は、液冷媒連絡配管１４及び液側閉鎖弁３７を経由して室外ユニット３０に送られる。
【００７８】
室外ユニット３０に送られた高圧の液冷媒は、電動膨張弁３４で減圧されて気液二相状態の冷媒となった後に、室外熱交換器３３に流入する。室外熱交換器３３に流入した低圧の気液二相状態の冷媒は、室外ファン３９によって供給される室外空気との熱交換により液冷媒が蒸発して低圧のガス冷媒となる。低圧のガス冷媒は、四路切換弁３２を経由してアキュムレータ３６に流入する。アキュムレータ３６に流入した低圧のガス冷媒は、再び、圧縮機３１に吸入される。
【００７９】
このように、空調機１０は、室内熱交換器２１を冷媒の凝縮器として機能させ、かつ、室外熱交換器３３を冷媒の蒸発器として機能させる暖房運転を行う。
【００８０】
（５−３）加湿運転
空調機１０の加湿運転は、暖房運転と組み合わされて行われる。図２、図３及び図５に示されるように、加湿ユニット６０の吸着用ダクト６８の空気流入口６８１（図５参照）は、前板４６の室外吸込口４６ｂ（図３参照）に向かって開口し、空気流出口６８３（図２参照）は、室外ファン３９が回転するときに負圧となるベルマウス５２の上流側に開口している。室外ファン３９が稼動すると、空気流出口６８３側の気圧が空気流入口６８１側より低くなり、室外熱交換器３３を通過していない外気が、空気流入口６８１から吸い込まれる。空気流入口６８１から吸い込まれた外気に含まれる水分は、加湿ロータ６３の水分吸着領域６３ａに吸着される。
【００８１】
加湿ロータ６３は、空気流入口６８１と空気流出口６８３との間であって、かつ、空気流出口６８３の近傍に位置する。加湿運転時において、加湿ロータ６３は、ロータ駆動用モータ６４の動力によって、その回転軸６３ｄを中心に所定の回転速度で回転する。加湿ロータ６３の回転によって、水分吸着領域６３ａで吸着された水分は、水分放出領域６３ｂまで運ばれる。
【００８２】
同時に、加湿用ファン７５の駆動によって、加湿用開口４０ａから取り込まれた外気が、加湿用ヒータ７１の周囲まで導かれて加熱される。加湿用ヒータ７１によって加熱された空気は、加湿ロータ６３の水分放出領域６３ｂを通過する。このとき、水分放出領域６３ｂにおいて、加熱された空気に曝された部分から水分が放出される。その後、水分放出領域６３ｂから放出された水分を含む高湿の空気は、加湿用ダクト７３に導かれ、加湿用ファン７５によって第２加湿用ダクト１８０内に供給される。第２加湿用ダクト１８０に供給された高湿の空気は、給気ホース１８を経由して室内ユニット２０へ導かれる。
【００８３】
（６）加湿ロータ６３の詳細な構成
加湿ロータ６３は、回転軸６３ｄの周りを回転しながら、空気中に含まれる水分の吸着および放出を行う円盤形状の部材である。図７は、回転軸６３ｄに沿って視た加湿ロータ６３の模式図である。以下において、加湿ロータ６３を回転軸６３ｄに沿って視る場合とは、視線が回転軸６３ｄに平行であり、かつ、視線が回転軸６３ｄと重なるように、加湿ロータ６３を視る場合を意味する。この場合、図７に示されるように、加湿ロータ６３の円形の主表面のみが視界に入ることになる。
【００８４】
図７には、加湿ロータ６３の円形の主表面が示されている。回転軸６３ｄは、加湿ロータ６３の円形の主表面の中心を通り、かつ、加湿ロータ６３のシャフト貫通孔６７の中心を通る。図７には、加湿ロータ６３の回転方向が点線の矢印で示されている。
【００８５】
加湿ロータ６３は、複数種類の吸着材から構成されている。具体的には、図７に示されるように、加湿ロータ６３の主表面は、複数の吸着材領域６９ａ，６９ｂに区画されている。吸着材領域６９ａ，６９ｂのそれぞれは、一種類の吸着材から構成されている。加湿ロータ６３の主表面において互いに隣接している複数の吸着材領域６９ａ，６９ｂは、互いに異なる種類の吸着材から構成されている。すなわち、互いに隣接している複数の吸着材領域６９ａ，６９ｂを構成する吸着材の仕様は、互いに異なっている。吸着材の仕様とは、例えば、吸着材に吸着された水分を放出し始める温度、吸着材の単位体積当たりの水分の吸着容量、および、各吸着材領域６９ａ，６９ｂにおける吸着材の塗布量である。また、吸着材が、ゼオライト等の焼成によって形成されるハニカム構造を有する場合、吸着材の仕様として、ハニカム構造のセルピッチが用いられてもよい。なお、加湿ロータ６３の円盤の厚み方向、すなわち、回転軸６３ｄに沿った方向において、吸着材の仕様は一定である。
【００８６】
本実施形態の加湿ユニット６０では、図７に示されるように、加湿ロータ６３を回転軸６３ｄに沿って視た場合において、加湿ロータ６３の主表面は、第１吸着材領域６９ａと第２吸着材領域６９ｂとからなる２つの吸着材領域６９ａ，６９ｂに区画されている。第１吸着材領域６９ａと第２吸着材領域６９ｂとは、互いに隣接している。図７において、第１吸着材領域６９ａおよび第２吸着材領域６９ｂは、互いに異なるハッチング領域として示され、第１吸着材領域６９ａと第２吸着材領域６９ｂとの境界は点線で示されている。
【００８７】
第１吸着材領域６９ａは、加湿ロータ６３の径方向の最も外側にある吸着材領域である。加湿ロータ６３の径方向とは、加湿ロータ６３を回転軸６３ｄに沿って視た場合において、加湿ロータ６３の円形の主表面の径方向を意味する。第２吸着材領域６９ｂは、第１吸着材領域６９ａよりも、加湿ロータ６３の径方向においてより内側にある吸着材領域である。第２吸着材領域６９ｂは、シャフト貫通孔６７を囲む環状の領域である。第１吸着材領域６９ａは、第２吸着材領域６９ｂを囲む環状の領域である。加湿ロータ６３を回転軸６３ｄに沿って視た場合において、第１吸着材領域６９ａと第２吸着材領域６９ｂと間の境界は、回転軸６３ｄを中心とする円形状を有している。加湿ロータ６３では、第１吸着材領域６９ａの吸着材の水分の吸着容量は、第２吸着材領域６９ｂの吸着材の水分の吸着容量よりも大きい。
【００８８】
（７）特徴
本実施形態の加湿ユニット６０では、加湿ロータ６３は、複数種類の吸着材から構成されている。これにより、加湿ロータ６３を通過する空気の特性、および、加湿ロータ６３の温度分布に合わせて、加湿ロータ６３の各吸着材領域６９ａ，６９ｂに適切な吸着材を設けることで、加湿ロータ６３の水分の吸着容量を向上させることができる。加湿ロータ６３を通過する空気の特性とは、例えば、単位時間当たりにおける、加湿ロータ６３を通過する空気の流量である。
【００８９】
図７に示されるように、円盤形状の加湿ロータ６３の円形の主表面において、隣接する２つの吸着材領域６９ａ，６９ｂ（第１吸着材領域６９ａおよび第２吸着材領域６９ｂ）の間の境界は、加湿ロータ６３の回転軸６３ｄを中心とする円形状である。そのため、第１吸着材領域６９ａおよび第２吸着材領域６９ｂは、それぞれ、回転軸６３ｄを中心とする円環形状を有している。第１吸着材領域６９ａおよび第２吸着材領域６９ｂは、円環形状を有しているので、加湿ロータ６３を構成する吸着材の仕様は、加湿ロータ６３の径方向に沿って変化する。これは、加湿ロータ６３を通過する空気の特性、および、加湿ロータ６３の温度分布が、加湿ロータ６３の径方向に沿って変化する傾向があることに基づいている。
【００９０】
例えば、円盤形状の加湿ロータ６３の径方向外側に行くほど加湿ロータ６３を通過する空気の流量が大きい場合において、加湿ロータ６３の径方向内側（中心側）よりも加湿ロータ６３の径方向外側（外周側）に、吸着容量がより大きい吸着材を設けることで、加湿ロータ６３が一種類のみの吸着材から構成されている場合に比べて、加湿ロータ６３全体の水分の吸着容量を大きくすることができる。
【００９１】
図７に示される加湿ロータ６３では、径方向外側の第１吸着材領域６９ａの吸着材の水分の吸着容量は、径方向内側の第２吸着材領域６９ｂの吸着材の水分の吸着容量よりも大きい。そのため、第１吸着材領域６９ａを通過する空気の流量が、第２吸着材領域６９ｂを通過する空気の流量よりも大きい場合、第１吸着材領域６９ａの吸着材は第２吸着材領域６９ｂの吸着材よりも多量の空気を吸着できるので、加湿ロータ６３は、加湿ロータ６３を通過する空気に含まれる水分を効率的に吸着することができる。また、水分の吸着容量が大きいほど吸着材の費用が高い場合、第１吸着材領域６９ａの吸着材のみからなる加湿ロータ６３と比べて、第１吸着材領域６９ａおよび第２吸着材領域６９ｂの吸着材からなる加湿ロータ６３は、製造コストがより小さい。
【００９２】
このように、加湿ユニット６０は、円盤形状の加湿ロータ６３の径方向外側に行くほど加湿ロータ６３を通過する空気の流量が大きい場合において、水分の吸着容量が互いに異なる複数種類の吸着材から構成される加湿ロータ６３を備えることで、加湿ロータ６３の利用効率を向上させることができる。
【００９３】
また、加湿ユニット６０の利用効率が向上することにより、加湿ロータ６３の水分吸着領域６３ａに外気を導くための室外ファン３９の回転数を抑えることができる。これにより、室外ファン３９から発生する騒音が抑制され、室外ファン３９の消費電力が低下する。
【００９４】
また、加湿ユニット６０の利用効率が向上することにより、加湿ロータ６３の水分放出領域６３ｂに加熱空気を送るための加湿用ヒータ７１の消費電力を抑えることができる。
【００９５】
また、加湿ロータ６３を通過する空気の特性、および、加湿ロータ６３の温度分布は、加湿ロータ６３の径方向に沿って変化する傾向がある。そのため、加湿ロータ６３が円形の主表面を有する円盤形状である場合、図７に示されるように、第１吸着材領域６９ａと第２吸着材領域６９ｂと間の境界を、回転軸６３ｄを中心とする円形状とすることで、加湿ユニット６０は、円盤形状の加湿ロータの利用効率を向上させることができる。
【００９６】
（８）変形例
本発明の具体的構成は、本発明の要旨を逸脱しない範囲内で変更可能である。次に、本発明の実施形態の適用可能な変形例について説明する。
【００９７】
（８−１）変形例Ａ
実施形態の加湿ユニット６０では、加湿ロータ６３の主表面は、２つの吸着材領域６９ａ，６９ｂに区画されている。しかし、加湿ロータ６３の主表面は、３つ以上の吸着材領域に区画されてもよい。
【００９８】
図８は、本変形例における、回転軸６３ｄに沿って視た加湿ロータ６３の模式図である。加湿ロータ６３を回転軸６３ｄに沿って視た場合において、加湿ロータ６３の主表面は、３つの吸着材領域１６９ａ，１６９ｂ，１６９ｃに区画されている。３つの吸着材領域１６９ａ，１６９ｂ，１６９ｃは、１つの第１吸着材領域１６９ｂと、２つの第２吸着材領域１６９ａ，１６９ｃとからなる。２つの第２吸着材領域１６９ａ，１６９ｃは、同じ種類の吸着材から構成されている。第１吸着材領域１６９ｂは、第２吸着材領域１６９ａ，１６９ｃとは異なる種類の吸着材から構成されている。図８において、第１吸着材領域１６９ｂおよび第２吸着材領域１６９ａ，１６９ｃは、互いに異なるハッチング領域として示され、異なる吸着材領域１６９ａ，１６９ｂ，１６９ｃ同士の境界は点線で示されている。
【００９９】
第１吸着材領域１６９ｂと第２吸着材領域１６９ａ，１６９ｃとは、互いに隣接している。２つの第２吸着材領域１６９ａ，１６９ｃの一方は、加湿ロータ６３の径方向の最も外側にある吸着材領域１６９ａであり、他方は、加湿ロータ６３の径方向の最も内側にある吸着材領域１６９ｃである。第１吸着材領域１６９ｂは、２つの第２吸着材領域１６９ａ，１６９ｃの間に挟まれた領域であり、加湿ロータ６３の径方向中心部を含む吸着材領域である。すなわち、２つの第２吸着材領域１６９ａ，１６９ｃは、加湿ロータ６３の径方向において、第１吸着材領域１６９ｂの内側および外側に位置している。
【０１００】
径方向内側の第２吸着材領域１６９ｃは、シャフト貫通孔６７を囲む環状の領域である。第１吸着材領域１６９ｂは、径方向内側の第２吸着材領域１６９ｃを囲む環状の領域である。径方向外側の第２吸着材領域１６９ａは、第１吸着材領域１６９ｂを囲む環状の領域である。加湿ロータ６３を回転軸６３ｄに沿って視た場合において、第１吸着材領域１６９ｂと第２吸着材領域１６９ａ，１６９ｃと間の境界は、回転軸６３ｄを中心とする円形状を有している。
【０１０１】
本変形例の加湿ロータ６３では、第１吸着材領域１６９ｂの吸着材が吸着した水分を放出できる温度は、第２吸着材領域１６９ａ，１６９ｃの吸着材が吸着した水分を放出できる温度よりも高い。吸着材が吸着した水分を放出できる温度とは、加湿用ヒータ７１によって加熱された空気が加湿ロータ６３を通過すること等によって加湿ロータ６３の温度が上昇する過程において、加湿ロータ６３の吸着材に吸着された水分が放出され始める温度である。
【０１０２】
本変形例の加湿ロータ６３では、例えば、円盤形状の加湿ロータ６３の径方向中心部に加湿用ヒータ７１の熱が当たりやすい場合において、加湿ロータ６３の径方向外側（外周側）および径方向内側（中心側）よりも加湿ロータ６３の径方向中心部に、より高い温度で、吸着された水分を放出することができる吸着材が設けられている。すなわち、加湿ロータ６３の径方向外側（外周側）および径方向内側（中心側）に位置する第２吸着材領域１６９ａ，１６９ｃの吸着材は、加湿ロータ６３の径方向中心部に位置する第１吸着材領域１６９ｂの吸着材と比べて、より低い温度で、吸着された水分を放出することができる。そのため、加湿ロータ６３は、加湿用ヒータ７１から放出される熱によって、吸着された水分を効率的に放出することができる。これにより、加湿ロータ６３が一種類のみの吸着材から構成されている場合に比べて、加湿ロータ６３全体の利用効率が向上する。
【０１０３】
従って、加湿ユニット６０は、円盤形状の加湿ロータ６３の径方向中心部に加湿用ヒータ７１の熱が当たりやすい場合において、高い利用効率を有する加湿ロータ６３を備えることができる。
【０１０４】
（８−２）変形例Ｂ
実施形態の加湿ユニット６０では、加湿ロータ６３は、２種類の吸着材から構成されている。しかし、加湿ロータ６３は、３種類以上の吸着材から構成されていてもよい。この場合、加湿ロータ６３の主表面の吸着材領域の数は、加湿ロータ６３に用いられる吸着材の種類の数以上である。複数の吸着材領域は、同じ種類の吸着材から構成されてもよい。
【０１０５】
図９は、本変形例における、回転軸６３ｄに沿って視た加湿ロータ６３の模式図である。加湿ロータ６３を回転軸６３ｄに沿って視た場合において、加湿ロータ６３の主表面は、環状の３つの吸着材領域２６９ａ，２６９ｂ，２６９ｃに区画されている。
【０１０６】
３つの吸着材領域２６９ａ，２６９ｂ，２６９ｃは、第１吸着材領域２６９ａと第２吸着材領域２６９ｂと第３吸着材領域２６９ｃとからなる。３つの吸着材領域２６９ａ，２６９ｂ，２６９ｃのそれぞれは、一種類の吸着材から構成される。３つの吸着材領域２６９ａ，２６９ｂ，２６９ｃは、互いに異なる３種類の吸着材から構成される。図９において、３つの吸着材領域２６９ａ，２６９ｂ，２６９ｃは、互いに異なるハッチング領域として示され、異なる吸着材領域２６９ａ，２６９ｂ，２６９ｃ同士の境界は点線で示されている。
【０１０７】
第１吸着材領域２６９ａは、加湿ロータ６３の径方向の最も外側にある吸着材領域である。第２吸着材領域２６９ｂは、第１吸着材領域２６９ａの内側において、第１吸着材領域２６９ａと隣接している吸着材領域である。第３吸着材領域２６９ｃは、第２吸着材領域２６９ｂの内側において、第２吸着材領域２６９ｂと隣接している吸着材領域である。
【０１０８】
第３吸着材領域２６９ｃは、シャフト貫通孔６７を囲む環状の領域である。第２吸着材領域２６９ｂは、第３吸着材領域２６９ｃを囲む環状の領域である。第１吸着材領域２６９ａは、第２吸着材領域２６９ｂを囲む環状の領域である。加湿ロータ６３を回転軸６３ｄに沿って視た場合において、第１吸着材領域２６９ａと第２吸着材領域２６９ｂと間の境界、および、第２吸着材領域２６９ｂと第３吸着材領域２６９ｃと間の境界は、回転軸６３ｄを中心とする円形状を有している。
【０１０９】
図９に示される加湿ロータ６３では、例えば、第１吸着材領域２６９ａの吸着材の水分の吸着容量は、第２吸着材領域２６９ｂの吸着材の水分の吸着容量よりも大きく、かつ、第２吸着材領域２６９ｂの吸着材の水分の吸着容量は、第３吸着材領域２６９ｃの吸着材の水分の吸着容量よりも大きい。
【０１１０】
本変形例では、実施形態の加湿ロータ６３と同様に、円盤形状の加湿ロータ６３の径方向外側に行くほど加湿ロータ６３を通過する空気の流量が大きい場合において、水分の吸着容量が互いに異なる複数種類の吸着材から構成される加湿ロータ６３を備えることで、加湿ロータ６３の利用効率を向上させることができる。
【０１１１】
（８−３）変形例Ｃ
実施形態の加湿ユニット６０では、図７に示されるように、加湿ロータ６３は、回転軸６３ｄに沿って視た場合に、回転軸６３ｄを中心とする円形状を有している。加湿ロータ６３では、互いに隣接している複数の吸着材領域６９ａ，６９ｂの間の境界は、回転軸６３ｄに沿って視た場合に、回転軸６３ｄを中心とする円形状を有している。
【０１１２】
しかし、加湿ロータ６３は、回転軸６３ｄに沿って視た場合に、回転軸６３ｄを中心とする円形状以外の形状を有してもよい。この場合、加湿ロータ６３の各吸着材領域には、回転軸６３ｄに沿って視た場合に、回転軸６３ｄからの距離に基づいて選択された吸着材が設けられている。また、互いに隣接している複数の吸着材領域の間の境界は、回転軸６３ｄに沿って視た場合に、回転軸６３ｄを中心とする円形状以外の形状であってもよい。加湿ロータ６３の各吸着材領域には、加湿ロータ６３を通過する空気の特性、および、加湿ロータ６３の温度分布に合わせて適切な吸着材が設けられている。
【０１１３】
一例として、加湿ロータ６３は、回転軸６３ｄに沿って視た場合に、楕円形状を有してもよい。この場合、対称性の観点から、加湿ロータ６３の回転軸６３は、回転軸６３ｄに沿って視た場合に、加湿ロータ６３の楕円形状の２つの焦点を結ぶ線分の中点に位置していることが好ましい。また、互いに隣接している複数の吸着材領域の間の境界は、回転軸６３ｄに沿って視た場合に、加湿ロータ６３と同じ楕円形状を有してもよい。
【０１１４】
他の例として、加湿ロータ６３は、回転軸６３ｄに沿って視た場合に、正多角形の形状を有してもよい。この場合、対称性の観点から、加湿ロータ６３の回転軸６３は、回転軸６３ｄに沿って視た場合に、加湿ロータ６３の正多角形の形状の重心に位置していることが好ましい。また、互いに隣接している複数の吸着材領域の間の境界は、回転軸６３ｄに沿って視た場合に、加湿ロータ６３と同じ正多角形の形状を有してもよい。
【０１１５】
加湿ロータ６３を通過する空気の特性、および、加湿ロータ６３の温度分布は、加湿ロータ６３の回転軸６３ｄからの距離に応じて変化する傾向がある。従って、本変形例における加湿ロータ６３も、高い利用効率を有する。
【０１１６】
（８−４）変形例Ｄ
実施形態および変形例Ｃの加湿ユニット６０では、加湿ロータ６３を通過する空気の特性、および、加湿ロータ６３の温度分布に合わせて、加湿ロータ６３の各吸着材領域６９ａ，６９ｂに適切な吸着材が設けられている。
【０１１７】
そのため、回転軸６３ｄに沿って視た場合の形状に関わらず、加湿ロータ６３は、例えば、回転軸６３ｄに沿って視た場合に、加湿ロータ６３を通過する空気の流量の分布に応じて、複数の吸着材領域に区画されてもよい。すなわち、加湿ロータ６３の各吸着材領域には、その領域を通過する空気の流量に適した吸着材が設けられてもよい。具体的には、実施形態のように、加湿ロータ６３を回転軸６３ｄに沿って視たときに、回転軸６３ｄからの距離が長いほど加湿ロータ６３を通過する空気の流量が大きい場合には、回転軸６３ｄからの距離がより長い吸着材領域に、吸着容量がより大きい吸着材を設けることが好ましい。これにより、加湿ユニット６０は、加湿ロータ６３を通過する空気の流量の分布に応じて、高い利用効率を有する加湿ロータ６３を備えることができる。
【０１１８】
（８−５）変形例Ｅ
実施形態および変形例Ｃの加湿ユニット６０では、加湿ロータ６３を通過する空気の特性、および、加湿ロータ６３の温度分布に合わせて、加湿ロータ６３の各吸着材領域６９ａ，６９ｂに適切な吸着材が設けられている。
【０１１９】
そのため、回転軸６３ｄに沿って視た場合の形状に関わらず、加湿ロータ６３は、例えば、回転軸６３ｄに沿って視た場合に、加湿ロータ６３を通過する空気の温度の分布に応じて、複数の吸着材領域に区画されてもよい。すなわち、加湿ロータ６３の各吸着材領域には、その領域を通過する空気の温度に適した吸着材が設けられてもよい。具体的には、変形例Ａのように、加湿ロータ６３を回転軸６３ｄに沿って視たときに、回転軸６３ｄからの距離が所定範囲内である領域において、加湿ロータ６３を通過する空気の温度が所定値以上となる場合には、回転軸６３ｄからの距離が当該所定範囲内である吸着材領域に、より高い温度で吸着された水分を放出することができる吸着材を設けることが好ましい。これにより、加湿ユニット６０は、加湿ロータ６３を通過する空気の温度の分布に応じて、高い利用効率を有する加湿ロータ６３を備えることができる。
【産業上の利用可能性】
【０１２０】
本発明に係る加湿装置は、高い利用効率を有する加湿ロータを備える。
【符号の説明】
【０１２１】
６０            加湿ユニット（加湿装置）
６３            加湿ロータ
６３ｄ          回転軸
６９ａ          第１吸着材領域
６９ｂ          第２吸着材領域
１６９ａ        第２吸着材領域
１６９ｂ        第１吸着材領域
１６９ｃ        第２吸着材領域
【先行技術文献】
【特許文献】
【０１２２】
【特許文献１】特開２００１−９１００２号公報
【図１】
2018087679.tif 000003
【図２】
2018087679.tif 000004
【図３】
2018087679.tif 000005
【図４】
2018087679.tif 000006
【図５】
2018087679.tif 000007
【図６】
2018087679.tif 000008
【図７】
2018087679.tif 000009
【図８】
2018087679.tif 000010
【図９】
2018087679.tif 000011